(57)【特許請求の範囲】
【請求項１】
外壁に取り付けられる略中央に開口部を有した本体と、この本体に固定されて少なくとも正面部および天面部を閉口したフードとを備え、前記フードの正面部側方に空気の流通路となる開口を形成し、前記フードの右側および左側の側部の両方の開口面積の合計が、前記フードの下部の開口面積より大とし、吹き上げの風は前記フードの前記下部より侵入し、前記フードの前記側部の上部より抜ける構成を特徴とした屋外フード。
【請求項２】
外壁に取り付けられる略中央に開口部を有した本体と、正面部および天面部と側部を閉口して形成したフードと、このフードの前記正面部と前記側部に設けられる側壁部との間の両者を連結する形状の傾斜面に空気の流通する開口を形成した屋外フード。
【請求項３】
壁内に設けられ、室内と室外を連通するダクトに挿入される筒部と、外壁に取り付けられ、略中央に開口部を有したフランジ部とからなる本体と、この本体に固定され、正面部および天面部を閉口し、下部および側部を開口し、空気の流通路を形成した請求項１または２記載の屋外フード。
【請求項４】
フランジ部の開口部を、筒部の内径寸法より大きい内径寸法の開口とし、この開口の外周にはフード側に突出する筒壁を形成するとともに、前記筒壁の下部に水抜穴を設けた請求項３記載の屋外フード。
【請求項５】
本体の開口部に複数本の柱状のガラリ部を設けた請求項３記載の屋外フード。
【請求項６】
フードの天面部から正面部にかけて下方に傾斜する形状とした請求項３記載の屋外フード。
【請求項７】
筒部の内周側で室内側下端に止水板を設けた請求項３記載の屋外フード。
【請求項８】
水抜穴の下方に、下端を開口した筒状の水抜穴ガイドを設けた請求項４記載の屋外フード。
【請求項９】
一端を筒部の内周側下面に、他端を水抜穴の上方に位置させるとともに、その幅寸法を水抜穴の幅寸法より長く形成した逆流防止板を設けた請求項４記載の屋外フード。
【請求項１０】
フードの側部の左右上端にサイドカバーを設けた請求項３記載の屋外フード。
【請求項１１】
フードの天面部および正面部の左右両端部に突起を設けた請求項３記載の屋外フード。
【請求項１２】
フードおよび本体の表面に微細な凹凸を設けた請求項３記載の屋外フード。
【請求項１３】
フードおよび本体の表面に微細な凹凸を有した表面処理を施した請求項３記載の屋外フード。
【請求項１４】
内径が室内側から室外側にかけて拡大となる筒部と、前記筒部の内周面に、前記室内側、フード側、および前記筒部の円周方向を開口したドーム状の水ガイドとを設け構成した請求項３記載の屋外フード。
【請求項１５】
本体の開口部の両横に、前記本体からフードの正面部方向に向けて外方へ延びる整流板を設けた請求項３および４記載の屋外フード。
【請求項１６】
フードの正面部の室内側に空気の流れを案内する凸部を形成した請求項３記載の屋外フード。
【請求項１７】
フードの正面部の室内側に空気の流れを案内する球面状の凸部を形成した請求項３記載の屋外フード。
【請求項１８】
フードの正面部の室内側に、外方へ向け傾斜する受水部と、先端に前記正面部と略平行の返し部とを形成した水捕集板を設けた請求項３記載の屋外フード。
【請求項１９】
フードの天面部をその中央部分が上方に突出する曲面で形成した請求項３記載の屋外フード。
【請求項２０】
本体の開口部に着脱自在な網を設けた請求項３記載の屋外フード。
【請求項２１】
空気の流通する開口を形成する側壁部および正面部をＲ面またはＣ面形状に形成した請求項２記載の屋外フード。
【請求項２２】
空気の流通する開口に、排出空気を正面部の中央側に案内するガイド板を設けた請求項２記載の屋外フード。
【発明の詳細な説明】
【０００１】
【発明の属する技術分野】
本発明は、建物の換気を行うために換気口の屋外側に取り付けられる屋外フードに関する。
【０００２】
【従来の技術】
近年、住宅に求められる要望として、住宅の耐久性に関する要望が特に高まっている。その中で、換気扇等の換気口においては、雨が換気口から室内に侵入して、室内の住宅材の耐久性を害してしまうことおよび、換気口から屋外に排出される排出空気による外壁の汚れが問題とされている。
【０００３】
従来、換気口の屋外側には雨の侵入を防止するため、フードを有した屋外フードが施工されており、この種の屋外フードは雨の侵入防止のため、左右方向を閉口し、上方向を閉口、または上方向の一部を開口したものが知られていた。
【０００４】
以下、その構成について、図３４〜図３７を参照しながら説明する。
【０００５】
図３４および図３５に示すように、壁１０１に開口された開口部１０２にダクト１０３が差し込まれ、円筒状の筒部１０４と中央に開口部１０５とを有した本体１０７が固定され、本体１０７には、正面部１０８、天面部１０９およびフード側面部１１０を閉口とし、フード下面部を開口としたフード１１２を固定して屋外フード１１３を構成していた。そして屋外フード１１３を施工する際には、壁１０１内のダクト１０３に内接するように筒部１０４を挿入し、筒部１０４に固定された板ばね１１４により壁１０１に取着していた。
【０００６】
また、別の屋外フードとして、図３６および図３７に示すように、フード上面部１１５に壁１０１よりフード１１１の正面部１０８の方向に対し、下方傾斜となり、かつフード上面部１１５の一部を開口した長さの天面カバー１１６を設けて屋外フード１１７を構成していた。
【０００７】
【発明が解決しようとする課題】
このような従来の屋外フードでは、前者においては、室外１１８で雨が降ったときには、風が弱風状態であれば、雨滴１１９は上から降ってくるのでフード１１２の天面部１０９とフード側面部１１０の閉口によって開口部１０５から室内１２０側に雨が侵入するのを防げるが、降雨時、強い風１２１を伴うときには、風は壁１０１の室外１１８側に当たり、下から吹き上げる風１２２が発生するので、フード下面部１１１から風が入り込んでしまう。このとき、風は雨滴１１９も同時に吸い込むため、フード内部１２３に雨が入り込んでしまう。そしてフード内部１２３に入り込んだ雨滴１１９を伴った風はその行き場が開口部１０５しかないため、開口部１０５を通り室内側１２０に侵入し、住宅材を汚してしまい、住宅の耐久性が損なわれるという課題があった。
【０００８】
また、室内１２０の汚染された空気が室外１１８に換気されるときには、換気扇（図示せず）により換気される室内空気はダクト１０３を通り筒部１０４の開口部１０５よりフード内部１２３に入り、フード下面部１１１より室外１１８より排出される。このとき、フード下面部１１１より室外１１８に排出される汚染空気の一部が壁１０１に接触して壁１０１を汚染するという課題があった。
【０００９】
また、後者における屋外フード１１７では、強風雨時、雨を伴った下から吹き上げる風１２２がフード内部１２３を通り、一部分はフード上面部１１５の開口部１２４から風が抜けるが、大部分の風はフード上面部１１５の天面カバー１１６に当たり、下方にはね返され、下方より吹き上げる風１２２と衝突するため、風の行き場がなくなり、開口部１０５を通り、室内１２０側に流れ込んでしまう。これは風の流入する面積であるフード下面部１１１の開口面積と、風の排出するフード上面部１１５の開口部１２４の面積の比率の関係で、排出する面積の方が流入する面積よりも小さいため発生してしまう現象である。そのため、開口部１０５に風雨が流入してしまう結果となる。
【００１０】
また、上から降ってきた雨滴１１９は天面カバー１１６に沿って下方に流れるが、天面カバー１１６の屋外側へ突出するひさしの長さが短いと天面カバー１１６より滴れた雨滴１１９が開口部１０５に吸い込まれてしまうため、天面カバー１１６のひさしを長くしなければならず屋外フード１１７の壁面からの奥行寸法が増大するため、製品が壁面に設置された状態の建物のデザイン性を損なうという課題があった。
【００１１】
本発明は、上記課題を解決するもので、住宅材の耐久性が損なわれるのを防止し、製品および、製品設置時の建物全体のデザイン性を向上でき、また、換気流によって屋外側の壁面が汚染されるのを緩和できる屋外フードを提供することを目的とする。
【００１２】
【課題を解決するための手段】
本発明の屋外フードにおいては、外壁に取り付けられる略中央に開口部を有した本体と、この本体に固定されて少なくとも正面部および天面部を閉口したフードとを備え、前記フードの正面部側方に空気の流通路となる開口を形成し、前記フードの右側および左側の側部の両方の開口面積の合計が、前記フードの下部の開口面積より大とし、吹き上げの風は前記フードの前記下部より侵入し、前記フードの前記側部の上部より抜ける構成を特徴とした構成としたものである。
【００１３】
この発明によれば、住宅材の耐久性が損なわれるのを防止し、製品および製品設置時の建物全体のデザイン性を向上でき、また、換気流によって屋外側の壁面が汚染されるのを緩和できる屋外フードを提供することができる。
【００１４】
【発明の実施の形態】
本発明の請求項１に記載の発明は、外壁に取り付けられる略中央に開口部を有した本体と、この本体に固定されて少なくとも正面部および天面部を閉口したフードとを備え、前記フードの正面部側方に空気の流通路となる開口を形成し、前記フードの右側および左側の側部の両方の開口面積の合計が、前記フードの下部の開口面積より大とし、吹き上げの風は前記フードの前記下部より侵入し、前記フードの前記側部の上部より抜ける構成を特徴とした構成としたことにより、強風雨時、風が壁に当たり、下から吹き上げの風が発生しても、フードの下部よりフードの内部に侵入した風は正面部側方の開口より風が抜けるため、開口部を通り、風と共に雨水が室内に浸入するのを低減することにより、住宅材の耐久性が損なわれるのを防止する。また、フードの天面部の奥行寸法を薄くすることができることにより、製品および、製品設置時の建物全体のデザイン性を向上できる。
【００１５】
また、室内の汚染された空気が換気されるときには、本体に設けた開口部からフード内に送られた天面部側方に設けた開口から、外壁面より遠ざかった方向の室外に排出されることとなり、屋外の壁面が汚染されるのを緩和することができる等の作用を有する。
【００１６】
以下、本発明の実施の形態について図１〜図３３を参照しながら説明する。
【００１７】
（実施の形態１）
図１〜図４に示すように、外壁５内に設けられ、室内１と室外２を連通するダクト３に挿入される筒部４と、外壁５に取り付けられ、中央に開口部６を有したフランジ部７とからなる本体８と、本体８に固定され、正面部９および天面部１０を閉口とし、下部１１および側部１２を開口としたフード１３とを設け、屋外フード１４を構成する。
【００１８】
そして、屋外フード１４を外壁５に施工する際には、外壁５に開口された開口部１５にダクト３が差し込まれ、筒部４をダクト３に挿入する。このとき、筒部４の円筒外周部１６に設けられた板バネ１７がダクト３の内壁に係止され、外壁５に屋外フード１４が取着される。
【００１９】
フランジ部７は、図５および図６に示すように、フランジ部７の略中央の開口部６に、筒部４の内径寸法（Ｄ）より大きい内径寸法（Ｃ）の開口を設け、その前面にはガラリ部１８を形成し、外周にはフランジ部７の平面部１９よりフード１３側に突出する筒壁２０を設けるとともに、筒壁２０の下部に水抜穴２１を設ける。開口部６には、その正面に複数本の柱状のガラリ部１８を設ける。
【００２０】
フード１３は、図７に示すように、フード１３の天面部１０から正面部９にかけて下方傾斜となる構成とする。筒部４には、筒部４の内周側で室内側下端２３に止水板２４を設ける。
【００２１】
上記構成において、強風雨時には、風２５は建物の外壁５に当たり、当たった風２５は外壁５の面に沿って上方に吹き上げる風２６が発生する。またその吹き上げの風２６は雨滴２７を伴いフード１３の下部１１より侵入する。フード１３の下部１１より侵入した吹き上げの風２６は、フード１３の正面部９とフランジ部７との間であるフード１３の内部２８を通る。このとき、フード１３の右側および左側の側部１２の両方の開口面積の合計が、フード１３の下部１１の開口面積よりも面積が大となるため、つまり、風の流入面積に対して排出面積の方が大となるため、吹き上げの風２６がフード１３の下部１１より侵入しても、フード１３の天面部１０に衝突せず左右に分かれ、フード１３の側部１２の上部から風が抜ける。これにより、雨滴２７を伴った吹き上げの風２６はフード１３の下部１１より侵入してもスムーズにフード１３の側部１２の上部より抜けるため、フランジ部７の開口部６から筒部４に侵入する外風を減少することができる。そのため、フランジ部７の開口部６から入る雨滴２７の侵入を防止でき、室内１への水の侵入を防止できることとなる。
【００２２】
また、上から雨が降ってきた場合でも、フード１３の天面部１０に落ちた雨滴２７はフード１３の正面部９をつたって流れるため、フード１３の内部２８に水が回り込むことがなく、開口部６から室内１へ侵入する雨滴２７を防止できる。
【００２３】
また、下からの吹き上げの風２６によってフランジ部７の開口部６のガラリ部１８に付着した雨滴２７は、ガラリ部１８をつたって筒壁２０の内周面に沿って下側に流れ、筒壁２０の下部の水抜穴２１より排出される。また、筒壁２０の内周面に滴れた雨滴２７は、筒壁２０の内径寸法（Ｃ）が筒部４の内径寸法（Ｄ）より大であるため筒部４の内周面３０にさかのぼって侵入することはないため、雨水を室内１へ侵入するのを防止できる。
【００２４】
また、雨滴２７を伴った下からの吹き上げの風２６によってガラリ部１８に付着した雨滴２７は、柱状のガラリ部１８に沿って下に流れ、筒壁２０の内周面に落ち、水抜穴２１より排出される。このとき柱状のガラリ部１８に付着した雨滴２７は、その自重によりガラリ部１８の途中で止まることがないため、風が吹いても雨水が室内１へ侵入するのを防止できる。
【００２５】
また、上から雨が降ってきた場合、雨滴２７はおもにフード１３の天面部１０に落ちる。そして、フード１３の天面部１０に落ちた雨滴２７は、天面部１０から正面部９にかけて傾斜しているため、傾斜に沿って鉛直に下方に滴下する。そのため天面部１０に付着した雨滴２７は、フード１３の反本体側の表面上を流れ、フード１３の正面部９に流れる。そして、フード１３の正面部９に流れた雨滴２７は、フード１３の下端２９よりフード１３から離れ、落下する。このように、雨が降ったとき、フード１３に落ちた雨滴２７は、フード１３の反本体側の表面上のみを流れ、フード１３の側部１２からフード１３の内部２８に水が回り込むことがなく、フランジ部７の開口部６から室内１へ侵入する雨滴２７を防止できる。
【００２６】
また、吹き上げの風２６によって筒部４にまで侵入した雨滴２７は、筒部４の内周面３０に沿って下方に滴れ、筒部４の内周面３０の下端に溜まる。このとき、筒部４の内部で室外２から室内１の方向へ向かう風３１が発生したとき、筒部４の内周面３０の下端に溜まった雨滴２７は室内１の方向へ流される。雨滴２７が筒部４の室内側下端２３に到達したとき、止水板２４によって遮られ、さらに室内１方向に流されるのを防止する。
【００２７】
このように本発明の実施の形態１の屋外フードによれば、室内１と室外２を連通するダクト３に挿入される筒部４と、外壁５に取付けられ、中央に開口部６を有したフランジ部７とからなる本体８と、本体８に固定され、正面部９および天面部１０を閉口とし、下部１１および側部１２を開口したフード１３とからなる屋外フード１４の構成としたので、雨滴２７を伴った吹き上げの風２６はフードの下部１１より侵入してもスムーズにフード１３の側部１２の上方より抜けるため、開口部６を通り、風と共に雨水が室内１に侵入するのを低減することにより、住宅材の耐久性が損なわれるのを防止することができる。
【００２８】
また、上から雨が降ってきた場合でも、フード１３の天面部１０に落ちた雨滴２７はフード１３の内部２８に水が回り込むことがないため、フード１３の天面部１０の奥行寸法を薄くすることができることにより、製品の奥行寸法を薄くすることができ、製品および、製品設置時の建物全体のデザイン性を向上できる。
【００２９】
また、下からの吹き上げの風２６によって、ガラリ部１８に付着した雨滴２７は、筒壁２０の内周面に沿って下側に流れ、筒壁２０の下端の水抜穴２１より排出される。また、筒壁２０の内周面に滴れた雨滴２７は、筒部４の内周面３０にさかのぼって侵入することはないため、雨水が室内１に侵入するのを低減することにより、住宅材の耐久性が損なわれるのを防止することができる。
【００３０】
また、雨滴２７を伴った下からの吹き上げの風２６によってガラリ部１８に付着した雨滴２７は、柱状のガラリ部１８に沿って下に流れ、その自重により途中で止まることがないため、風が吹いても雨水が室内１へ侵入するのを防止でき、住宅材の耐久性が損なわれるのを防止することができる。
【００３１】
また、フード１３の天面部１０に落ちた雨滴２７は傾斜に沿って鉛直に下方に滴下するため、フード１３に落ちた雨滴２７は、フード１３の反本体側の表面上のみを流れ、フード１３の側部１２からフード１３の内部２８に水が回り込むことがなく、フランジ部７の開口部６から室内１へ侵入する雨滴２７を防止でき、住宅材の耐久性が損なわれるのを防止することができる。
【００３２】
また、吹き上げの風２６によって筒部４にまで侵入した雨滴２７は、室外２から室内１の方向へ向かう風３１が発生したとき、筒部４の内周面３０の下端に溜まった雨滴２７は、室内１の方向へ流されるが、雨滴２７が筒部４の室内側下端２３に到達したとき、止水板２４によって遮られ、さらに室内１の方向に流されるのを防止することができる。
【００３３】
（実施の形態２）
図８および図９に示すように、フランジ部７の開口部６に有した筒壁２０の下部の水抜穴２１の下方に、下端を開口した筒状の水抜穴ガイド３２を設けた構成とする。
【００３４】
上記構成において、屋外フードが外壁５に取着された状態で、下からの吹き上げの風２６によってガラリ部１８に付着した雨滴２７はガラリ部１８をつたって筒壁２０の内周面に沿って下側に流れ、筒壁２０の下部の水抜穴２１より抜ける。水抜穴２１より落ちた雨滴２７は、水抜穴ガイド３２の中を通り水抜穴ガイド３２の下端３３より滴下し排出される。このとき、下からの吹き上げの風２６が吹いても水抜穴ガイド３２の内部を通っている雨滴２７は吹き上げの風２６と直接接触することがないので、雨滴２６が上方に押し戻されることがない。
【００３５】
このように本発明の実施の形態２の屋外フードによれば、筒壁２０の内周面に溜まった雨滴２７が排出されるとき、下からの吹き上げの風２６が吹いても雨滴２７は、水抜穴ガイド３２を通り、直接下からの吹き上げの風２６に接触しないため、排出された雨滴２７が上方に押しもどされることがないので、雨水が室内１へ侵入するのを防止でき、住宅材の耐久性が損なわれるのを防止することができる。
【００３６】
（実施の形態３）
図１０および図１１に示すように、筒部４の内周側下面３４に一端を位置させ、他端を水抜穴２１の上方に位置させるとともに、その幅寸法（Ｅ）を筒壁２０の水抜穴２１の幅寸法（Ｆ）より幅広に形成する逆流防止板３５を設けた構成とする。
【００３７】
上記構成において、屋外フードが外壁５に取着された状態で、下からの吹き上げの風２６によってガラリ部１８に付着した雨滴２７は、ガラリ部１８をつたって筒壁２０の内周面に沿って下側に流れ、筒壁２０の下端の水抜穴２１より抜ける。しかし、強風時においては、水抜穴２１より落ちた雨滴２７は下からの吹き上げの風２６と接触し、上方へ押し戻されてしまう。このとき、押し戻された雨滴２７は逆流防止板３５の下面にあたり、それより上方に押し戻されないため、筒部４の内部に雨滴２７は侵入できないこととなる。
【００３８】
このように本発明の実施の形態３の屋外フードによれば、強風時、筒壁２０の下部の水抜穴２１から抜けた雨滴２７が下からの吹き上げの風２６により再び水抜穴２１を通るが、逆流防止板３５によって筒部４の内部へ押し戻されることがないので、雨水が室内１へ侵入するのを防止でき、住宅材の耐久性が損なわれるのを防止することができる。
【００３９】
（実施の形態４）
図１２に示すように、フード１３ａの側部１２ａの左右上端にサイドカバー３６を設けた構成とする。
【００４０】
上記構成において、降雨時、フード１３ａの天面部１０に落ちた雨滴２７はフード１３ａの正面部９および、サイドカバー３６へつたって流れる。フード１３ａの天面部１０よりフード１３ａの正面部９につたった雨滴２７は、フード１３ａの下端２９より下に落ちる。フード１３ａの天面部１０よりサイドカバー３６につたった雨滴２７はサイドカバー３６の下端まで流れると、サイドカバー３６の下縁３７をつたって、フード１３ａの正面部９に流れる。そしてフード１３ａの正面部９に流れた雨滴２７はフード１３ａの下端２９より下に落ちる。
【００４１】
このとき、フード１３ａの天面部１０に落ちた雨滴２７は必ずフード１３ａの正面部９に流れるので、フード１３の内部２８に流れることはなく、したがって開口部６を通り室内１へ雨水が侵入することがない。
【００４２】
このように本発明の実施の形態４の屋外フードによれば、フード１３ａの天面部１０に落ちた雨滴２７はサイドカバー３６の下縁３７をつたってフード１３ａの正面部９に流れるので、フード１３ａの内部２８へ雨滴２７が侵入することなく、したがって開口部６を通り室内１へ雨水が侵入するのを防止でき、住宅材の耐久性が損なわれるのを防止することができる。
【００４３】
（実施の形態５）
図１３に示すように、フード１３ｂの天面部１０ａの左右両端部３８および、正面部９ａの左右両端部３９に突出した突起４０を設けた構成とする。
【００４４】
上記構成において、フード１３ｂの天面部１０ａに落ちた雨滴２７は正面部９ａおよび天面１０ａの左右両端部３８の方へ流れる。フード１３ｂの正面部９ａに流れた雨滴２７はフード１３ｂの正面部９ａの任意の下方向に流れるが、雨滴２７がフード１３ｂの正面部９ａの左右両端部３９の方へ流れても突起４０に当たり、突起４０に沿って下方へ流れ、フード１３ｂの下端２９より落ちる。また、雨滴２７がフード１３ｂの天面部１０ａから左右横端部３９の方に流れても突起４０に当たり、突起４０に沿って下方へ流れ、フード１３ｂの下端２９より落ちる。
【００４５】
このとき、雨滴２７は突起４０に当たり、フード１３ｂの内部２８の方へ乗り越えることがないので、開口部６を通り室内へ雨水が侵入することがない。
【００４６】
このように本発明の実施の形態５の屋外フードによれば、フード１３ｂの天面部１０ａに落ちた雨滴２７は、フード１３ｂの天面部１０ａの左右両端部３８およびフード１３ｂの正面部９ａの左右両端部３９に流れても突起４０を乗り越えることなく下方へ沿って流れるので、フード１３ｂの内部２８へ侵入することがないため、開口部６を通り室内１へ雨水が侵入するのを防止でき、住宅材の耐久性が損なわれるのを防止することができる。
【００４７】
（実施の形態６）
図１４および図１５に示すように、本体８ａおよびフード１３ｃの表面に微細な凹凸４１を設けた構成とする。
【００４８】
上記構成において、降雨時は、本体８ａおよびフード１３ｃなどの表面に雨滴２７が付着する。例えば、本体８ａのガラリ部１８に付着した場合、その雨滴２７は微細な凹凸４１によって、雨滴２７と付着した表面との接触角（Ｇ）が大きくなり、雨滴２７が製品表面と接触している面積が大きくなる。一般的に、雨が物体の表面に付着した際には、雨滴２７は雨自身の表面張力の作用により物体の表面上で球状になる。表面に付着した雨滴２７は、表面との接触角が小さくなり、風が吹いたときにはその接触角のすきまに風が入り込み、その風が表面から雨をはじき飛ばしてしまう。本発明では、微細な凹凸４１に付着した雨滴２７は、凹凸によって雨滴２７の表面張力が弱まり球状をなさず、ぬれた状態となる。このため、ガラリ部１８などの表面に付着した雨滴２７に下からの吹き上げの風２６が吹いても、雨滴２７と表面との接触角が大きいため、雨滴２７と表面との間にすきまができず、そのすきまに風が入り込まないため、雨滴２７が表面から離れるのを防止できるため、ガラリ部１８などに付着した雨滴２７が下に落ちる前に風によってガラリ部１８から飛ばされ、筒部４を通り、室内１へ雨水が侵入するのを防止できる。
【００４９】
このように本発明の実施の形態６の屋外フードによれば、本体８ａおよび、フード１３ｃの表面の微細な凹凸４１により、表面と雨滴２７との接触角を増大させ、風によって表面から飛ばされるのを防止できるため、室内１へ雨水が侵入するのを防止できるため、住宅材の耐久性が損なわれるのを防止することができる。
【００５０】
（実施の形態７）
図１６に示すように、本体８ｂおよびフード１３ｄの表面に微細な凹凸４２を有した表面処理を施した構成とする。
【００５１】
上記構成において、降雨時は、本体８ｂおよびフード１３ｄの表面に雨滴２７が付着する。例えば、本体８ｂのガラリ部１８に付着した場合、その雨滴２７は、ガラリ部１８の表面に施された微細な凹凸４２によって雨滴２７の表面張力が弱まり、雨滴２７は微細な凹凸４２の表面でぬれた状態となる。ぬれた状態の雨滴は下からの風２６が吹いても、実施の形態６で説明したメカニズムと同様になり、ガラリ部１８に付着した雨滴２７が風によってガラリ部１８から飛ばされ、筒部４を通り、室内１へ雨水が侵入するのを防止できるため、住宅材の耐久性が損なわれるのを防止することができる。
【００５２】
このように本発明の実施の形態７の屋外フードによれば、本体８ｂおよび、フード１３ｄの表面に微細な凹凸４２を有した表面処理を施したことにより、表面と雨滴２７との接触角を増大させ、風によって表面から飛ばされるのを防止できるため、室内１へ雨水が侵入するのを防止できるため、住宅材の耐久性が損なわれるのを防止することができる。
【００５３】
（実施の形態８）
図１７および図１８に示すように、筒部４ａの内径寸法（Ｊ）が室内１側から室外２側にかけて拡大する筒部４ａと、筒部４ａの内周面３０に室内１側とフード１３の正面部９の方向、および筒部４ａの円周方向４４を開口としたドーム状の水ガイド４５とを設けた構成とする。
【００５４】
上記構成において、開口部６から侵入した雨滴２７が筒部４ａ内に付着した場合、筒部４ａの内周面３０Ａに沿って下方に流れ、ドーム状の水ガイド４５の下を潜る。そして、雨滴２７は筒部４ａの内径寸法（Ｊ）が室外２側に向かうにつれて拡大しているため、下面の傾斜に沿って室外２側に流れ、ドーム状の水ガイド４５の室外側開口部４６より排出される。このとき、筒部４ａの内部で室外２から室内１の方向へ向かう風３３が発生したときでもドーム状の水ガイド４５の中を潜った雨滴２７は、水ガイド４５によって防護され風３３と直接接触することがないため、筒部４ａの傾斜に沿って室外２の方向へ流れ、逆流することはない。
【００５５】
このように本発明の実施の形態８の屋外フードによれば、強風雨時、筒部４ａ内に付着した雨滴２７は、筒部４ａの傾斜に沿いながらドーム状の水ガイド４５の中を潜って排出され、室外２から室内１に向かう風３３が発生しても、直接に接することがないため、雨滴２７が室内１の方向に流されるのを防止できるため、室内１へ雨水が侵入するのを防止でき、住宅材の耐久性が損なわれるのを防止することができる。
【００５６】
（実施の形態９）
図１９および図２０に示すように、本体８ｃの開口部の両横４７に本体８ｃからフード１３の正面部９の方向に向けて外方へ拡張する整流板４８を設けた構成とする。
【００５７】
上記構成において、屋外フードが外壁５に取着され、室内１側に換気扇４９が設置された場合では、換気扇４９を運転すると、室内１の空気は筒部４を通り開口部６より排出され、フード１３の正面部９の内側に衝突する。フード１３の正面部９の内側に衝突した空気は反射され整流板４８に当たり、整流板４８に当たった空気は整流板４８に沿って室外２へ流れ、フード１３の側部１２から室外２に排出される。この時、フード１３の側部１２から排出された空気は外壁５に対し整流板４８の角度に相当する角度で室外へ排出されるので、フード１３の側部１２から出た空気は外壁５の方向に向かって流れることはない。
【００５８】
このとき、室内１の空気が汚れているときには、その空気が接触した部分に空気の汚れが付着し、汚れてしまう。そのため、室内１の汚れた空気は、筒部４を通ってフード１３の正面部９の内側に当たるが、フード１３の正面部９より反射された空気は整流板４８に沿って室外２へ流される。この流れにおいて、汚れた空気が接触した部分、筒部４およびフード１３の正面部９の内側および整流板４８は汚れた空気の汚れが付着する。しかし、フード１３の側部１２から室外２の方向に排出された汚れた空気は、整流板４８に沿って流れ、外壁５の方向に向かって流れることがないので、フード１３の側部１２より外方の外壁５の表面に汚れを付着させることはない。外壁を屋外フードの正面から見た場合でも、室内１の汚れた空気によって汚される部分は屋外フードの内部のみでフード１３の正面部９および、外壁５は汚れていないので、建物を正面から見たとき、建物自体の美観を損なうことがない。
【００５９】
また、強風雨時、フード１３の側部１２から雨滴２７が入りこんでも整流板４８によって雨滴２７の侵入が防げるので、フード１３の側部１２から侵入する雨滴２７が直接、開口部６に水が侵入するのを防止できる。
【００６０】
また、図２１に示すように、整流板４８ａを本体と一体に形成してもその効果に差異はない。
【００６１】
このように本発明の実施の形態９の屋外フードによれば、室内１の汚れた空気がフード１３に当たり反射されても、整流板４８に沿って、室外２方向に流れるので、汚れた空気が外壁５に付着し壁面を汚すのを防止でき、建物の美観を損なうことを防止できる。また、強風雨時、フード１３の側部１２から雨滴２７が入りこんでも整流板４８によって侵入を防げるので、フード１３の側部１２から侵入する雨滴２７が直接、開口部６に侵入し、室内１へ雨水が侵入するのを防止でき、住宅材の耐久性が損なわれるのを防止することができる。
【００６２】
（実施の形態１０）
図２２および図２３に示すように、フード１３ｅの正面部９ｂの室内１側に本体８の方向に突出し、空気の流れを案内する凸部５１を設け、室内空気が平面５２にそって室外２へ排出される構成とする。
【００６３】
上記構成において、屋外フードが外壁５に取着され、室内１に換気扇４９が設置された場合では、換気扇４９を運転すると、室内１の空気は筒部４を通り開口部６より排出され、フード１３ｅの正面部９ｂの内側に衝突する。正面部９ｂの内側に衝突した空気は平面５２に沿って室外２の方向へ整流され、フード１３ｅの側部１２から室外２へ排出される。またこの時、室内１の空気が汚れているときには、その汚れた空気は筒部４を通って正面部９ｂの内側に当たるが、平面５２に沿って室外２の方向に流れるので、汚れた空気であっても、その汚れが外壁５に付着することがない。
【００６４】
このように本発明の実施の形態１０の屋外フードによれば、室内１の汚れた空気がフード１３ｅの内側に当たり平面５２に沿って室外２の方向に流れるので、汚れた空気が外壁５に付着し壁面を汚すのを防止でき、建物の美観を損なうことを防止できる。
【００６５】
（実施の形態１１）
図２４および図２５に示すように、フード１３ｆの正面部９ｃの室内１側に空気の流れを案内する球面状の凸部５１ａを有する構成とする。
【００６６】
上記構成において、屋外フードが外壁５に取着され、室内側１に換気扇４９が設置された場合では、換気扇４９を運転すると、室内１の空気は筒部４を通り開口部６より排出され、フード１３ｆの正面部９ｃの内側に衝突する。フード１３ｆの正面部９ｃの内側に衝突した空気は凸部５１ａの球面に沿って室外２の方向へ整流され、フード１３ｆの側部１２から室外２へ排出される。またこの時、室内１の空気が汚れているときには、その汚れた空気は筒部４を通って正面部９ｃの内側に当たるが、球面に沿って室外２の方向に流れるので、汚れた空気であっても、その汚れが外壁５に付着することがない。
【００６７】
このように本発明の実施の形態１１の屋外フードによれば、室内１の汚れた空気がフード１３ｆに当たり凸部５１ａの球面に沿って室外２の方向に流れるので、汚れた空気が外壁５に付着し壁面を汚すのを防止でき、建物の美観を損なうことを防止できる。
【００６８】
（実施の形態１２）
図２６に示すように、フード１３ｇの正面部９の室内１側に外方に向けて傾斜する受水部５４と、先端に正面部９と略平行の返し部５５とを形成した水捕集板５６を設けた構成とする。
【００６９】
上記構成において、強風時、雨滴２７がフード１３ｇの側部１２から侵入した場合、雨滴２７はおもに水捕集板５６の受水部５４に当たる。受水部５４に当たった雨滴２７は受水部５４の表面に付着し、その自重により下方に滴れる。このとき、フード１３ｇの側部１２から外壁５に向かう風５７が吹いても受水部５４に付着した雨滴２７は、返し部５５を越えて水捕集板５６から飛ばされることなく下方に落ちる。
【００７０】
このように本発明の実施の形態１２の屋外フードによれば、雨滴２７がフード１３ｇの側部１２から侵入した場合でも、雨滴２７は水捕集板５６によって捕集され、またフード１３ｇの側部１２から風が吹いても水捕集板５６から雨滴２７が飛ばされることがないので、室内１へ雨水が侵入するのを防止でき、住宅材の耐久性が損なわれるのを防止することができる。
【００７１】
（実施の形態１３）
図２７に示すように、フード１３ｈの天面部１０ｂにその中央部分が上方向に凸となる曲面５８を形成した構成とする。
【００７２】
上記構成において、雨が降ったとき、雨滴２７は主にフード１３ｈの天面部１０ｂに当たる。フード１３ｈの天面部１０ｂに当たった雨滴２７は通常、フードの天面部が平板の状態であれば、その部分の剛性が弱いため、雨滴２７がフードの天面に当たると衝突音としてポコポコと音が発生し、室内１側に反響してしまうが、フード１３ｈの天面部１０ｂの中央部分が上方向に凸となる曲面５８であるため、フード１３ｈの天面部１０ｂの剛性が強くなり、雨滴２７が天面部に当たってもポコポコ音を発生することがない。
【００７３】
このように本発明の実施の形態１３の屋外フードによれば、天面部１０ｂの剛性が強いため、雨滴２７の衝突によるポコポコ音を発生することがないので、室内１で雨によって生ずる不快な音を発生するのを防止できる。
【００７４】
（実施の形態１４）
図２８に示すように、本体８ｄのガラリ部１８の外周に、軸５９を設け、軸５９に軸支された押え板６０を設け、ガラリ部１８の前面と押え板６０によって網６１が挟持される構成とする。
【００７５】
上記構成において、換気扇（図示せず）の運転等により網６１が目詰まりした際には、押え板６０が網６１から外れるように軸５９を中心に回転させ、網６１を本体８ｄより外し、網６１を掃除する。また、網６１を取り付けるときには、開口したフードの側部またはフードの下部より網６１を挿入し、ガラリ部１８の前面にかぶせ、押え板６０を網６１の外周のフランジ部６２の上に乗るように回転させて、網６１を本体８ｄに固定する。
【００７６】
このように本発明の実施の形態１４の屋外フードによれば、押え板５９の回転により網６１が着脱自在となるので、換気扇の給気運転時等で網に埃が付き目詰まりが起こっても、容易に網が着脱できる。
【００７７】
（実施の形態１５）
図２９および図３０に示すように、外壁５に取り付けられる略中央に開口部６を有した本体８ｅに固定され、正面部９ｄ、および天面部１０ｃと側壁部６３により形成される側部１２ｂを閉口し、下部１１を開口したフード１３ｉを設け、フード１３ｉの正面部９ｄと側部１２ｂを形成する側壁部６３との間に両者を連結する形状の傾斜面６４に空気の流通する開口６５を設けた構成とする。
【００７８】
上記構成において、屋外フードが外壁５に取着され室内１側に換気扇４９が設置された状態で換気扇４９を運転すると、室内１の空気は筒部４を通り開口部６よりフード１３ｉ内に排出され、フード１３ｉの正面部９ｄの内側に衝突し、フード１３ｉの正面部９ｄの内側に衝突した空気は広がり、正面部９ｄの側方に設けた開口６５より室外２に排出される。このとき、開口６５は側壁部６３により外壁５より遠ざかった位置の正面部９ｄの側方に設けられているため、室外２に排出される排出空気は外壁５より離れた方向に排出されることとなる。
【００７９】
また、強風時にフード１３ｉの下部１１の開口からフード１３ｉ内に浸入した風雨は開口６５より放出され、本体８ｅの開口部６より室内１側に雨滴が浸入することがなくなる。
【００８０】
このように本発明の実施の形態１５の屋外フードによれば外壁５に取り付けられる略中央に開口部６を有した本体８ｅに固定されて少なくとも正面部９ｄおよび天面部１０ｃを開口したフード１３ｉを設け、フード１３ｉの正面部９ｄ側方に空気の流通路となる開口６５を形成したので、雨水が住宅内に浸入するのが防止でき、住宅材の耐久性が損なわれるのを防止でき、また、製品の薄型化が図られデザイン性が向上でき、また、換気流によって外壁５が汚染されるのを緩和することができる。
【００８１】
また、正面部９ｄおよび天面部１０ｃと側部１２ｂを閉口して形成フード１３ｉと、このフード１３ｉの正面部９ｄと側部１２ｂに設けられる側壁部６３との間の傾斜面６４に空気の流通する開口６５を形成したので、汚染された換気流は側壁部６３により外壁５面に放出されることがなくなり、開口６５からは外壁５から遠ざかる方向に排出されるので、外壁５の汚染されることが防止できる。
【００８２】
（実施の形態１６）
図３１に示すように、空気の流通する開口６５ａを形成する側壁部６３ａおよび正面部９ｅをＲ面またはＣ面形状に形成し、側壁部６３ａの開口６５ａ側端部より正面部９ｅの両端部が内側になるように設け、正面部９ｅの外面に沿い換気流が流れやすいようにフード１３ｊを形成し構成する。
【００８３】
上記構成において、換気扇４９が運転されると、室内１の空気は筒部４を通り開口部６よりフード１３ｊ内に排出され、フード１３ｊを形成する側壁部６３ａおよび正面部９ｅのＲ面またはＣ面形状に案内され、開口６５ａより正面部９ｅのＲ面またはＣ面形状に案内されて開口６５ａより正面部９ｅの外面の中央部に向かい室外２に排出される。
【００８４】
このように本発明の実施の形態１６の屋外フードによれば、空気の流通する開口６５ａを形成する側壁部６３ａおよび正面部９ｅをＲ面またはＣ面形状に形成したので、汚染された換気流は側壁部６３ａおよび正面部９ｅのＲ面またはＣ面に沿い開口６５ａに送られ、開口６５ａより正面部９ｅの外面に沿うように正面部９ｅの中央に向かい排出されて外壁５の汚染されることが防止できる。
【００８５】
（実施の形態１７）
図３２および図３３に示すように、空気の流通する開口６５ｂを形成する側壁部６３ｂおよび正面部９ｆにおける側壁部６３ｂの端部に正面部９ｆの中央部に向かう突片６６および正面部９ｆの側方部に突片６６により正面部９ｆに向かい誘導される空気流をスムーズに正面部９ｆの中央部に向かい案内する傾斜面を有したガイド板６７を設け、フード１３ｋを構成する。
【００８６】
上記構成において、換気扇４９が運転されると、室内１の空気は筒部４を通り開口部６よりフード１３ｋ内に排出され、フード１３ｋを形成する側壁部６３ｂの突片６６により正面部９ｆの中央部に向かい流動し、流動する空気は正面部９ｆの側方に設けたガイド板６７により案内されて強制的に正面部９ｆの中央部に向かい室外２に排出される。
【００８７】
このように本発明の実施の形態１７の屋外フードによれば、空気の流通する開口６５ｂに、排出空気を正面部９ｆの中央部側に案内するガイド板６７を設けたので、排出空気は強制的に正面部９ｆの中央側に向かい排出され、外壁５が汚染されることが防止できる。
【００８８】
なお、実施の形態１７では、ガイド板６７を正面部９ｆと一体的に設けたがガイド板は別部材で形成しても良いことはいうまでもない。
【００８９】
【発明の効果】
以上のように、請求項１および２に記載の発明によれば、住宅材の耐久性が損なわれるのを防止でき、また、製品の薄型化によるデザイン性の向上を図ることができ、また、外壁の汚染されるのを緩和することができる。
【００９０】
また、請求項３に記載の発明によれば、住宅材の耐久性が損なわれるのを防止し、製品および製品設置時の建物全体のデザイン性を向上することができる。
【００９１】
また、請求項４〜６に記載の発明によれば、住宅材の耐久性が損なわれるのを防止することができる。
【００９２】
また、請求項７に記載の発明によれば、筒部にまで浸入してきた雨滴が室内方向に流されるのを防止することができる。
【００９３】
また、請求項８〜１５に記載の発明によれば、雨水が室内へ浸入するのを防止でき、住宅材の耐久性が損なわれるのを防止することができる。
【００９４】
また、請求項１６および１７に記載の発明によれば、壁面を汚すのを防止でき、建物の美観が損なわれることを防止できる。
【００９５】
また、請求項１８に記載の発明によれば、室内へ雨水が浸入するのを防止でき、住宅材の耐久性が損なわれるのを防止することができる。
【００９６】
また、請求項１９に記載の発明によれば、雨によって生ずる不快な音を発生するのを防止できる。
【００９７】
また、請求項２０に記載の発明によれば、容易に網が着脱できる。
【００９８】
また、請求項２１および２２に記載の発明によれば、換気流による外壁の汚染を緩和することができる。
【図面の簡単な説明】
【図１】本発明の実施の形態１の屋外フードの構成を示す斜視図
【図２】同屋外フードの施工状態を示す斜視図
【図３】同屋外フードに吹きつける風および雨の流れを示す断面図
【図４】同屋外フードに吹きつける風の流れを示す斜視図
【図５】同屋外フードの筒壁および水抜穴を示す断面図
【図６】同屋外フードの筒壁、水抜穴、およびガラリ部を示す斜視図
【図７】同屋外フードの止水板の構成を示す斜視図
【図８】本発明の実施の形態２の屋外フードの構成を示す斜視図
【図９】同屋外フードに吹きつける風および雨の流れを示す断面図
【図１０】本発明の実施の形態３の屋外フードの構成を示す斜視図
【図１１】同屋外フードに吹きつける風および雨の流れを示す断面図
【図１２】本発明の実施の形態４の屋外フードの構成を示す斜視図
【図１３】本発明の実施の形態５の屋外フードの構成を示す斜視図
【図１４】本発明の実施の形態６の屋外フードの構成を示す断面図
【図１５】同屋外フードのガラリ部の雨滴の状態を示す部分拡大断面図
【図１６】本発明の実施の形態７の屋外フードの構成を示す断面図
【図１７】本発明の実施の形態８の屋外フードの構成を示す断面図
【図１８】同屋外フードの構成を示す斜視図
【図１９】本発明の実施の形態９の屋外フードの構成を示す斜視図
【図２０】同屋外フードの風の流れを示す断面図
【図２１】同屋外フードの構成を示す斜視図
【図２２】本発明の実施の形態１０の屋外フードの構成を示す斜視図
【図２３】同屋外フードの風の流れを示す断面図
【図２４】本発明の実施の形態１１の屋外フードの構成を示す斜視図
【図２５】同屋外フードの風の流れを示す断面図
【図２６】本発明の実施の形態１２の屋外フードの構成を示す断面図
【図２７】本発明の実施の形態１３の屋外フードの構成を示す斜視図
【図２８】本発明の実施の形態１４の屋外フードの本体の構成を示す正面図
【図２９】本発明の実施の形態１５の屋外フードの風の流れを示す断面図
【図３０】同屋外フードの斜視図
【図３１】本発明の実施の形態１６の屋外フードの風の流れを示す断面図
【図３２】本発明の実施の形態１７の屋外フードの風の流れを示す断面図
【図３３】同屋外フードの斜視図
【図３４】従来の屋外フードの構成を示す斜視図
【図３５】同屋外フードの風および雨の流れを示す断面図
【図３６】従来の他の屋外フードの構成を示す斜視図
【図３７】同屋外フードの風および雨の流れを示す断面図
【符号の説明】
１        室内
２        室外
３        ダクト
４        筒部
４ａ      筒部
５        外壁
６        開口部
７        フランジ部
８        本体
８ａ      本体
８ｂ      本体
８ｃ      本体
８ｄ      本体
８ｅ      本体
９        正面部
９ａ      正面部
９ｂ      正面部
９ｃ      正面部
９ｄ      正面部
９ｅ      正面部
９ｆ      正面部
１０      天面部
１０ａ    天面部
１０ｂ    天面部
１０ｃ    天面部
１１      下部
１２      側部
１２ａ    側部
１２ｂ    側部
１３      フード
１３ａ    フード
１３ｂ    フード
１３ｃ    フード
１３ｄ    フード
１３ｅ    フード
１３ｆ    フード
１３ｇ    フード
１３ｈ    フード
１３ｉ    フード
１３ｊ    フード
１３ｋ    フード
１４      屋外フード
１８      ガラリ部
２０      筒壁
２１      水抜穴
２３      室内側下端
２４      止水板
３２      水抜穴ガイド
３４      内周面下端
３５      逆流防止板
３６      サイドカバー
３８      左右両端部
３９      左右両端部
４０      突起
４１      微細な凹凸
４２      微細な凹凸
４４      円周方向
４５      水ガイド
４７      開口部の両横
４８      整流板
４８ａ    整流板
５１      凸部
５１ａ    凸部
５４      受水部
５５      返し部
５６      水捕集板
５８      曲面
６１      網
６５      開口
６５ａ    開口
６５ｂ    開口
６７      ガイド板
Ｃ        内径寸法
Ｄ        内径寸法
Ｅ        幅寸法
Ｆ        幅寸法
Ｊ        内径寸法
【図１】
0003983538.tif 000002
【図２】
0003983538.tif 000003
【図３】
0003983538.tif 000004
【図４】
0003983538.tif 000005
【図５】
0003983538.tif 000006
【図６】
0003983538.tif 000007
【図７】
0003983538.tif 000008
【図８】
0003983538.tif 000009
【図９】
0003983538.tif 000010
【図１０】
0003983538.tif 000011
【図１１】
0003983538.tif 000012
【図１２】
0003983538.tif 000013
【図１３】
0003983538.tif 000014
【図１４】
0003983538.tif 000015
【図１５】
0003983538.tif 000016
【図１６】
0003983538.tif 000017
【図１７】
0003983538.tif 000018
【図１８】
0003983538.tif 000019
【図１９】
0003983538.tif 000020
【図２０】
0003983538.tif 000021
【図２１】
0003983538.tif 000022
【図２２】
0003983538.tif 000023
【図２３】
0003983538.tif 000024
【図２４】
0003983538.tif 000025
【図２５】
0003983538.tif 000026
【図２６】
0003983538.tif 000027
【図２７】
0003983538.tif 000028
【図２８】
0003983538.tif 000029
【図２９】
0003983538.tif 000030
【図３０】
0003983538.tif 000031
【図３１】
0003983538.tif 000032
【図３２】
0003983538.tif 000033
【図３３】
0003983538.tif 000034
【図３４】
0003983538.tif 000035
【図３５】
0003983538.tif 000036
【図３６】
0003983538.tif 000037
【図３７】
0003983538.tif 000038